(57)【要約】【課題】バルコニーの手摺壁の躯体表面側の結露のみならず、躯体内部の結露をも有効に防止することができるバルコニーの通気構造を提供する。【解決手段】手摺壁Ｗの上端に笠木１０が被せられた手摺Ｔを有するバルコニーの通気構造であって、手摺壁の下張材１，１’と外装材３，３’との間に設けられた通気空間Ｔ１，Ｔ２と、下張材に設けられ、通気空間と手摺壁の躯体Ｋ内の空間１Ｋとを連通する下張材連通孔１ａと、躯体の上枠４に形成され、躯体内の空間と笠木内の空間１０Ｋとを連通する上枠連通孔４ａと、手摺壁の上端内側で、笠木内の空間とバルコニー内側の空間とを連通する隙間Ｓと、を具備する。【選択図】            図１
2004197383.tif 000002
【特許請求の範囲】
【請求項１】
手摺壁の上端に笠木が被せられた手摺を有するバルコニーの通気構造であって、
前記手摺壁の下張材と外装材との間に設けられた通気空間と、
前記下張材に設けられ、前記通気空間と手摺壁の躯体内の空間とを連通する下張材連通孔と、
前記躯体の上枠に形成され、前記躯体内の空間と前記笠木内の空間とを連通する上枠連通孔と、
前記手摺壁の上端内側で、前記笠木内の空間とバルコニー内側の空間とを連通する隙間と、
を具備したことを特徴とするバルコニーの通気構造。
【請求項２】
前記上枠連通孔には、上端がつば状のキャップで塞がれているとともに周壁に通気部が形成された連通管が差し込まれていることを特徴とする請求項１に記載のバルコニーの通気構造。
【請求項３】
前記連通管には、前記通気部に水が流れ込むのを防ぐ水返しが取り付けられることを特徴とする請求項２記載のバルコニーの通気構造。
【請求項４】
前記通気空間は、多数の突起を点在形成してなる凹凸面を裏面に備え、この凹凸面を前記下張材の表面に当接して張着された防水面材により形成されていることを特徴とする請求項１乃至請求項３のいずれか一項に記載のバルコニーの通気構造。
【請求項５】
前記手摺壁の下方に、前記躯体内の空間に水が溜まらないようにするための水抜き孔が形成されていることを特徴とする請求項１乃至請求項４のいずれか一項に記載のバルコニーの通気構造。
【発明の詳細な説明】
【０００１】
【発明の属する技術分野】
本発明は手摺を備えるバルコニーの通気構造に関する。特に、手摺壁の内部結露を有効に防止することのできるバルコニーの通気構造に関するものである。
【０００２】
【従来の技術】
従来、住宅に付設されるバルコニーには、大きく分けて２つの種類があり、その一つは、図８（ａ）に示したような１階の屋根Ｙ上等の空いたスペースに設けられるテラスタイプのバルコニーＢ１であり、他の一つは、図８（ｂ）に示したような建物Ｈの躯体に支持されて建物Ｈの側面に突設される持出しタイプのバルコニーＢ２である。これらのバルコニーにおける手摺Ｔの通気構造については、以下のような提案がなされている。
なお、以下の説明において、「外側」，「内側」は建物を基準としたときの構造物の向きを表し、建物から遠い位置にあるものを「外側」、近い位置にあるものを「内側」とする。また、「表面」，「裏面」は、手摺壁の躯体を中心としたときの部材の向きを表す。
【０００３】
図９は手摺壁Ｗの上部に笠木４１を有した手摺Ｔの通気構造を表したものであり、手摺壁Ｗの躯体４０を構成する下地材４２ａ，下地材４３ａに外装材４２，外装材４３が設けられている。外装材４２は手摺壁Ｗの外側の側面を構成し、外装材４３は同じく内側の側面を構成している。下地材４２ａと外装材４２との間（下地材４２ａの表面側）には所定の幅を有する通気層４４が設けられており、この通気層４４は外装材４２の上端部に取り付けられたカバー４５の連通孔４５ａを通じて笠木４１内の空間４１Ｋに連通している。
【０００４】
躯体４０の上枠４６の上面には、上枠下地４６ａが設けられ、この上枠下地４６ａに笠木ブラケット４６ｂが設けられている。笠木４１はこの笠木ブラケット４６ｂにより、手摺壁Ｗの上端を覆う状態に取り付けられる。手摺壁Ｗに笠木４１が取り付けられた状態で、笠木４１の側部４１ａの裏面には、外装材４２の上端部に取り付けられたカバー４５の端部４５ｂが当接するように構成されており、外装材４２の上端部と笠木４１の側部４１ａとの間が塞がれるようになっている。また、これとは反対側に位置する笠木４１の側部４１ｂと手摺壁Ｗの外装材４３との間には隙間Ｓが形成されており、この隙間Ｓを通じて、笠木４１内の空間４１Ｋが、バルコニー内側の空間（外気Ａ）と連通するように構成されている。
【０００５】
このような構成によりなる手摺Ｔの通気構造によれば、手摺壁Ｗの下地材４２ａの表面側に形成された通気層４４が、カバー４５の連通孔４５ａを通じて笠木４１内の空間４１Ｋに連通し、笠木４１内の空間４１Ｋを経由して隙間Ｓからバルコニー内側の外気Ａに連通する。すなわち、手摺Ｔ内には、通気層４４から笠木４１内の空間４１Ｋを経由してバルコニー内側の外気Ａに連通するという通気路が形成されている。これにより、通気層４４を通じて手摺壁Ｗの下地材４２ａの表面側における通気が確保され内部結露が防止される。
【０００６】
ところで、図８（ａ）（ｂ）に示すように、バルコニーの外側Ｏから建物Ｈの手摺Ｔに向けて吹き付けてくる風Ｃ１は、バルコニーの内側Ｉから手摺Ｔに向けて吹き付ける風Ｃ２よりも強いため、バルコニーの手摺Ｔにおいては、一般的に、バルコニーの外側Ｏに面した部分、特に、手摺壁と笠木との隙間から雨水等が浸入する恐れがあった。この点、図９に示した手摺Ｔの通気構造では、外装材４２の上端部と笠木４１の側部４１ａとの間が塞がれているので、このようなバルコニーの外側Ｏからの雨水の吹き込みが防止されるという利点を有していた（特許文献１参照）。
【０００７】
また、その他の従来技術としては、図１０に示すようなものがある。この手摺Ｔの通気構造は、基本的な構成が図９に示したものと同一であり、大きく異なる部分は、通気層４４の上端部に煙突部材４７が差し込まれて、外装材４２の上端から笠木４１内の空間４１Ｋに向けて突設されている点である。
【０００８】
このような手摺Ｔの通気構造によれば、煙突部材４７が外装材４２の上端から笠木４１内の空間４１Ｋに向けて突設されているので、笠木４１のジョイント部などから空間４１Ｋ内に雨水が浸入するような事態が生じたとしても、雨水が通気層４４に更に入り込みにくくなっている（特許文献２参照）。
【０００９】
【特許文献１】
特開２００２−２２７３６３号公報（第２頁，第３頁，図１）
【特許文献２】
特開２００１−２８８８６６号公報（第３頁，図１）
【００１０】
【発明が解決しようとする課題】
しかしながら、上述した従来の手摺の通気構造は、手摺壁の乾燥が完全に行われるものではなかった。
特許文献１に開示されたものは、笠木４１の側部４１ａの裏面にカバー４５の端部４５ｂが当接して、この部分が閉じられているので、上述したようなバルコニーの外側Ｏから吹き付けてくるような雨水等の浸入は防止されるが、笠木４１内に雨水等が浸入するような事態が生じたときの乾燥が充分に行われなかった。すなわち、笠木４１の図示しないジョイント部分等から雨水が浸入するような事態が生じた場合には、カバー４５の連通孔４５ａから雨水が通気層４４に浸入して、躯体４０に浸みる恐れがあった。また、例えば、台風などの強風を伴うような強い雨がバルコニーの内側から隙間Ｓを通じて吹き込んで来ることも考えられ、そのような場合にも、通気層４４に雨水が浸入して躯体４０に浸みる恐れがあった。
この点に関し、防水シート４０ａ１が下地材４２ａの表面に張着されていても、防水シート４０ａ１のジョイント部分や防水シート４０ａ１を固定するために用いられるタッカー針や釘等によって形成される釘穴等を通じて、雨水が通気層４４から下地材４２ａに浸み込んだり、経年変化による手摺壁のゆがみなどに起因して雨水が躯体へ浸み込むこと等があった。すなわち、従来の手摺では躯体４０への水の浸入を完全に防止することは不可能であった。
そして、そうであるにもかかわらず、手摺壁Ｗの躯体４０内は、密閉された空間として構築されているため、上述したような事情により下地材４２ａに雨水が浸み込むと、躯体４０内が高湿状態のまま維持されやすくなり、このことによって、手摺壁Ｗの躯体４０が腐ったり、最悪の状況では、手摺壁Ｗが折れて倒壊するなどの危険な事態が生じる恐れがあった。
【００１１】
この点、特許文献２に開示された手摺Ｔの通気構造では、煙突部材４７が設けられているので、特許文献１のものよりは、通気層４４への雨水の浸入が起りにくい。しかしながら、煙突部材４７の上端は笠木４１の天板４１ｃへ向けて開口しているので、例えば、笠木４１内で結露した水滴が笠木４１の天板４１ｃの下面から煙突部材４７に滴り落ちたり、笠木４１のジョイント部から水が浸入し、水滴で通気層４４内が濡れてしまうことがあった。また、強風を伴うような強い雨が隙間Ｓから笠木４１内の空間４１Ｋに吹き込んできて、煙突部材４７の開口から通気層４４内に入り込んでしまうという事態も考えられる。すなわち、このものも躯体４０への水の浸入を完全に防止することはできない。
そして、そうであるにもかかわらず、やはりこのものも、万一躯体４０内に雨水が浸み込んだときの対策がなされていないので、手摺壁Ｗの躯体４０が腐る等の事態が生じる恐れがあった。
【００１２】
本発明は、以上のような問題点に鑑み、バルコニーの手摺壁の躯体表面側の結露のみならず、躯体内部の結露をも有効に防止することができるバルコニーの通気構造を提供することを目的とする。
【００１３】
【課題を解決するための手段】
上記目的を達成するために請求項１記載の発明は、手摺壁の上端に笠木が被せられた手摺を有するバルコニーの通気構造であって、前記手摺壁の下張材と外装材との間に設けられた通気空間と、前記下張材に設けられ、前記通気空間と手摺壁の躯体内の空間とを連通する下張材連通孔と、前記躯体の上枠に形成され、前記躯体内の空間と前記笠木内の空間とを連通する上枠連通孔と、前記手摺壁の上端内側で、前記笠木内の空間とバルコニー内側の空間とを連通する隙間と、を具備したことを特徴とする。
【００１４】
このようなバルコニーの通気構造によれば、下張材と外装材との間に設けられた通気空間は、下張材連通孔を通じて躯体内の空間に連通し、躯体内の空間から上枠連通孔を通じて笠木内の空間に通じ、笠木内の空間を通じて手摺壁の上端内側の隙間からバルコニー内側の外気に連通することとなる。すなわち、下張材の表面側に設けられた通気空間が外気に連通した構造となっているとともに、通気経路の一部を構成している躯体内の空間も外気に連通した構造となっている。これにより、躯体の表面側（外装材の裏側）の結露が有効に防止されるとともに、通気経路となる躯体内部の結露をも有効に防止することができるようになる。すなわち、手摺壁内の内部結露を躯体の外側と内部との双方から防止することができる。
また、通気空間は、躯体内の空間を経由して笠木内の空間に連通しており、笠木内の空間に直接連通していないので、万一、笠木内の空間に雨水等が浸入するような事態が生じたとしても、雨水等が通気空間に直接浸入することがない。したがって、下張材に雨水等が浸みるのを確実に防止することができる。
万一、笠木内に雨水等が浸入するような事態が生じた場合には、笠木内に浸入した雨水が、上枠連通孔を通じて躯体内に浸入することもあるかも知れないが、仮にそのような事態が生じたとしても、躯体内の空間は、上枠連通孔から笠木内の空間を経由してバルコニー内側の外気に連通しているので、高湿状態が維持されるような状況とはならない。すなわち、躯体内の空間は時間の経過とともに確実に乾燥されることとなる。
したがって、品質に悪影響を及ぼすような事態、例えば、躯体が腐るなどの現象も起りにくくなる。これにより、経年変化にも絶え得る通気構造を備えた手摺が得られる。
また、通気空間の空気は、躯体内の空間を経由してその上方の上枠連通孔から笠木内に流れてバルコニーの内側に通じるという、下方から上方への流れとなるので、暖かい水蒸気が自然に上昇して排出されやすくなるという利点も得られる。
【００１５】
請求項２に係る発明は、請求項１に記載のバルコニーの通気構造において、上枠連通孔には、上端がつば状のキャップで塞がれているとともに周壁に通気部が形成された連通管が差し込まれているので、万一笠木のジョイント部分等から笠木内に雨水等が浸入して、笠木の天板部分等から水摘が落下するような事態が生じたとしても、つば状のキャップが水滴よけの傘がわりとなり、水滴が上枠連通孔を通じて躯体内に浸入するのを防止することができる。したがって、躯体内が雨水等で湿らなくなる。
【００１６】
請求項３に係る発明は、請求項２に記載のバルコニーの通気構造において、連通管には、通気部に雨水等が流れ込むのを防ぐ水返しが取り付けられていることを特徴とする。
【００１７】
このようなバルコニーの通気構造によれば、万一笠木内に雨水等が浸入してきたとしても、水返しが防水堤の役割をなし、連通管の通気部に雨水が入り込まない。したがって、躯体内が雨水等で湿るのをより確実に防止することができる。
【００１８】
請求項４に係る発明は、請求項１乃至請求項３のいずれか一項に記載のバルコニーの通気構造において、通気空間は、多数の突起を点在形成してなる凹凸面を裏面に備え、この凹凸面を下張材の表面に当接して張着された防水面材で形成されていることを特徴とする。
【００１９】
このようなバルコニーの通気構造によれば、防水面材における多数の突起を点在形成してなる凹凸面が下張材と対向するため、各突起間の空隙が水蒸気拡散路として確保されることとなり、したがって、下張材の表面側の内部結露が有効に防止される。
【００２０】
請求項５に記載の発明は、請求項１乃至請求項４のいずれか一項に記載のバルコニーの通気構造において、手摺壁の下方に、躯体内の空間に水が溜まらないようにするための水抜き孔が形成されているので、万一雨水等の水滴が躯体内に浸入し、手摺壁の下方へ浸み込んでも、水抜きすることが可能になる。これにより、手摺壁の下方の床等の乾燥維持を図ることができる。
【００２１】
【発明の実施の形態】
以下、添付図面を参照して、本発明の実施の形態を詳細に説明する。なお、説明において、同一要素には同一の符号を用い、重複する説明は省略する。
【００２２】
（第一の実施形態）
図１は本発明に係るバルコニーの通気構造の第一の実施形態を表すバルコニーの手摺の一部省略断面図、図２は同じく手摺壁の構造を示す一部破断斜視図である。本発明に係るバルコニーの通気構造に採用される手摺は、図１に示すように、手摺壁Ｗの上部に笠木１０が被せられており、手摺壁Ｗの下張材１，１’の表面側に形成された通気空間Ｔ１，Ｔ２が、躯体Ｋ内の空間１Ｋ，上枠連通孔４ａ，および笠木１０内の空間１０Ｋを通じてバルコニー内側の外気Ａに連通するように構成されている。すなわち、この手摺Ｔでは、下張材１，１’の表面側の通気空間Ｔ１，Ｔ２と通気経路の一部を構成する躯体Ｋ内の空間１Ｋとの双方が外気Ａに連通した構造となっている。これにより、下張材１，１’の表面側における内部結露が防止されるとともに、躯体Ｋの内部結露も防止されるようになっている。
【００２３】
以下、各部について説明する。
手摺Ｔは、手摺壁Ｗとこの手摺壁Ｗの上部に被せられた笠木１０とからなる。
手摺壁Ｗは、図２にも示すように、躯体Ｋを構成する下張材１，１’と、この下張材１，１’の表面に張着された防水面材２，２と、この防水面材２，２の表面に張着されたラス３ａ，３ａと、このラス３ａ，３ａを塗り下地として塗り付けられた外装材としてのセメントモルタル３，３’とを含んで構成される。外装材３は手摺壁Ｗの外側の側面を構成し、外装材３’は手摺壁Ｗの内側の側面を構成している。
【００２４】
下張材１，１’には、下張材連通孔１ａ，１ａ，…が上下左右方向に所定の間隔を置いて設けられている。この下張材連通孔１ａ，１ａ，…は、下張材１，１’の表面側に形成される通気空間Ｔ１，Ｔ２と躯体Ｋ内の空間１Ｋとをそれぞれ連通する役割をなす。
防水面材２は、釘孔シール性を付与するためのアスファルトコンパウンド層２ｂを含んでおり、また、多数の突起２ｄ，２ｄ，…を点在形成してなる凹凸面２ｅを裏面に備えたものである。具体的には、図３に示すように、防水面材２の層構成パターンは四種類ある。
つまり、図３（ａ）に示す防水面材２Ａは、表面側から順に基層２ａ、アスファルトコンパウンド層２ｂ、表層２ｃを積層した三層構造となっており、表層２ｃの裏面に点在する多数の突起２ｄ，２ｄ，…が凹凸面２ｅを形成している。図３（ｂ）に示す防水面材２Ｂは、表面側から順に基層２ａ、アスファルトコンパウンド層２ｂを積層した二層構造となっており、アスファルトコンパウンド層２ｂの裏面に点在する多数の突起２ｄ，２ｄ，…が凹凸面２ｅを形成している。図３（ｃ）に示す防水面材２Ｃは、表面側から順にアスファルトコンパウンド層２ｂ、表層２ｃを積層した二層構造となっており、表層２ｃの裏面に点在する多数の突起２ｄ，２ｄ，…が凹凸面２ｅを形成している。図３（ｄ）に示す防水面材２Ｄは、アスファルトコンパウンド層２ｂのみの一層構造となっており、アスファルトコンパウンド層２ｂの裏面に点在する多数の突起２ｄ，２ｄ，…が凹凸面２ｅを形成している。そして、防水面材２の突起２ｄ，２ｄ，…は、セメントモルタル３の塗り付け施工時のコテ圧でつぶれない程度の強度を有している。
【００２５】
そして、このような防水面材２は、図２に示すように、凹凸面２ｅを下張材１，１’の表面に当接した状態でそれぞれ張着され、その突起２ｄ，２ｄ，…間の空隙によって下張材１，１’の表面側に連続的な通気空間Ｔ１，Ｔ２が形成される。
なお、防水面材２はタッカー針や釘等の留付手段によって下張材１，１’に留め付けられ、また、ラス３ａは防水面材２を貫通する留付手段によって下張材１，１’に留め付けられるが、防水面材２には極めて高いコールドフロー性と粘弾性を有するアスファルトコンパウンド層２ｂが含まれているので、防水面材２は留付手段によって開いた孔を自ら塞いで修復する機能（釘孔シール機能）を有している。これにより、防水性能が維持されるようになっている。
【００２６】
このような防水面材２により形成される通気空間Ｔ１，Ｔ２のうち、通気空間Ｔ１は、テラスタイプのバルコニーにおいて、図示しない建物の外壁内の通気層に連通することができる。この場合、通気空間Ｔ１には、建物の外壁内を通過してきた外気が導入されることとなる。
また、持出しタイプのバルコニーにおいては、通気空間Ｔ１を軒天へ向けて延設することができる。図４は持出しタイプのバルコニーＢ２における軒天まわりの構造を表した断面図であり、同図に示すように、通気空間Ｔ１は、軒天３０へ向けて延設された防水面材２により、軒天３０のふところ空間Ｎに通じている。これにより、通気空間Ｔ１には、軒天３０に形成された外気連通孔３１を通じて外気が導入される。このような構成とすることにより、手摺壁Ｗのみならず、バルコニーの床躯体まわりの通気をも確保することができるようになる。
なお、通気空間Ｔ２は、手摺壁Ｗの下端部においてバルコニー内側の外気に連通しても良いし、また、図４に示すように、バルコニー内側には連通させずに、下張材連通孔１ａ，１ａ…を通じて躯体Ｋ内の空間１Ｋに対してのみ連通させるように構成しても良い。
【００２７】
図１に示すように、手摺壁Ｗの上枠４には、躯体Ｋ内の空間１Ｋと笠木１０内の空間１０Ｋとを連通するための上枠連通孔４ａが設けられている。上枠連通孔４ａには、筒材４ａ１が差し込まれている。なお、この筒材４ａ１は必ずしも設ける必要はなく、筒材４ａ１の代わりに、上枠連通孔４ａの内周面に防水材を塗布した構成としても良い。
【００２８】
手摺壁Ｗの上端に設けられる笠木１０は、図示しない笠木ブラケットにより、手摺壁Ｗの長手方向の全体にわたって取り付けられる。本実施の形態では、笠木１０が手摺壁Ｗの上端部に取り付けられた状態で、図１に示すように、笠木１０内の空間１０Ｋが手摺壁Ｗの上端内側の隙間Ｓを通じてバルコニー内側の外気Ａに連通するように構成されている。
笠木１０は、天板１１と、外側の側部１２と、内側の側部１３とからなる断面略コ字形状に形成されている。天板１１はバルコニー内側へ向けて水勾配を有する下り傾斜状に形成されている。外側の側部１２は、下部が裏面側に折り返されてその端部１２ａが上枠下地材５の一端部５ｃに密着した状態で当接される。また、内側の側部１３は、上枠下地材５の他端部５ｄ及び外装材３’との間に隙間Ｓを形成するようにして、下部が裏面側に廻りこむように折り返されている。これにより、この隙間Ｓを通じて笠木１０内の空間１０Ｋとバルコニー内側の外気Ａとが連通する。つまり、笠木１０内の空間１０Ｋは、手摺壁Ｗの上端内側において、バルコニー内側にのみ連通する。
なお、笠木１０の上には、不図示の固定手段によって支柱１４が取り付けられ、支柱１４の上端にはトップレール１５が取り付けられる。
また、手摺壁Ｗは、テラスタイプのバルコニーにおいて、手摺壁Ｗの下方に図示しない土台下の床下換気孔等が位置するように構成されており、この床下換気孔等が躯体Ｋ内の空間１Ｋに万一水が溜まったときの水抜き孔の役割をなすようになっている。
さらに、また、持出しタイプのバルコニーにおいては、図４に示すように、手摺壁Ｗの下方に、躯体Ｋの下枠３５，床板３６，床根太３７，軒天３０のふところ空間Ｎが位置するように構成されており、軒天３０の外気連通孔３１が躯体Ｋ内の空間１Ｋに万一水が溜まったときの水抜き孔の役割をなすようになっている。
【００２９】
以上のような手摺を有するバルコニーの通気構造によれば、下張材１，１’と外装材３，３’との間に設けられた通気空間Ｔ１，Ｔ２が、下張材連通孔１ａ，１ａ…を通じて躯体Ｋ内の空間１Ｋにそれぞれ連通し、躯体Ｋ内の空間１Ｋから上枠連通孔４ａを通じて笠木１０内の空間１０Ｋに通じ、笠木１０内の空間１０Ｋを通じて手摺壁Ｗの上端内側の隙間Ｓからバルコニー内側の外気Ａに連通する。すなわち、下張材１，１’の表面側に設けられた通気空間Ｔ１，Ｔ２が外気に連通した構造となっているとともに、通気経路の一部を構成する躯体Ｋ内の空間１Ｋも外気Ａに連通した構造となっている。これにより、躯体Ｋの表面側の結露が有効に防止されるとともに、通気経路となる躯体Ｋの内部の結露をも有効に防止することができるようになる。すなわち、手摺壁Ｗ内の内部結露を躯体Ｋの表面側と内部との双方から防止することができる。
【００３０】
また、通気空間Ｔ１，Ｔ２は、躯体Ｋ内の空間１Ｋを経由して笠木１０内の空間１０Ｋに連通しており、笠木１０内の空間１０Ｋには直接連通していないので、万一、笠木１０の空間１０Ｋ内に雨水等が浸入するような事態が生じたとしても、雨水等が通気空間Ｔ１，Ｔ２に直接浸入することがない。したがって、下張材１，１’に雨水等が浸みるのを確実に防止することができる。
万一、笠木１０内に雨水等が浸入するような事態が生じた場合には、笠木１０内に浸入した雨水が、上枠連通孔４ａを通じて躯体Ｋ内に浸入することもあるかも知れないが、仮にそのような事態が生じても、躯体Ｋ内の空間１Ｋは、上枠連通孔４ａから笠木１０内の空間１０Ｋを経由してバルコニー内側の外気Ａに連通しているので、高湿状態が維持されるような状況とならない。すなわち、躯体Ｋ内の空間１Ｋは時間の経過とともに乾燥されることとなる。
したがって、品質に悪影響を及ぼすような事態、例えば、躯体Ｋが腐るなどの現象も起りにくくなる。これにより、経年変化にも絶え得る通気構造を備えた手摺Ｔが得られる。
また、通気空間Ｔ１，Ｔ２の空気は、躯体Ｋ内の空間１Ｋを経由してその上方の上枠連通孔４ａから笠木１０内に流れてバルコニーの内側に通じるという、下方から上方への流れとなるので、暖かい水蒸気が自然に上昇して排出されやすくなるという利点も得られる。
【００３１】
さらに、下張材１，１’には、防水面材２における多数の突起２ｄ，２ｄ…を点在形成してなる凹凸面２ｅが対向しているので、各突起２ｄ，２ｄ…間の空隙が水蒸気拡散路として確保されることとなり、したがって、下張材１，１’の表面側の内部結露が有効に防止される。
【００３２】
さらに、手摺壁Ｗの下方には、躯体Ｋ内の空間１Ｋに万一水が浸入した場合の水抜き孔（土台下の床下換気孔や軒天３０の外気連通孔３１）が形成されているので、万一雨水等の水滴が躯体Ｋ内に浸入し、手摺壁Ｗの下方へ浸み込んでも、水抜きすることが可能になる。これにより、手摺壁Ｗの下方の床等の乾燥維持を図ることができる。
【００３３】
（第二の実施形態）
図５は本発明に係るバルコニーの通気構造の第二の実施形態を表すバルコニーの手摺の一部省略断面図である。本実施形態のバルコニーの通気構造は、手摺壁Ｗの上枠連通孔４ａに連通管２０が設けられている点が前記第一の実施形態と異なり、この連通管２０により躯体Ｋ内の空間１Ｋと笠木１０内の空間１０Ｋとが連通されるようになっている。
【００３４】
連通管２０は、図６にも示すように、筒部２１と、通気部２２と、つば状のキャップ２３とから構成されている。筒部２１は、躯体の上枠４に形成された上枠連通孔４ａに差し込まれて嵌まり込む外径を有している。通気部２２は、筒部２１の上部に連続して設けられており、小さな昆虫などが通りぬけない網状に形成されている。キャップ２３は、通気部２２の上端を塞ぐ状態に設けられ、通気部２２へ雨水が入り込まないようにするための水滴よけとなる傘の役割をなす。
【００３５】
このような連通管２０は、図５に示すように、上枠下地材５の縦孔５ｂおよび上枠４の上枠連通孔４ａに筒部２１が差し込まれた状態で取り付けられる。取り付けられた状態で、連通管２０の通気部２２は、笠木１０内の空間１０Ｋに通気部２２が臨むようになっている。これにより、躯体Ｋ内の空間１Ｋと笠木１０内の空間１０Ｋとが連通管２０を通じて連通される。
【００３６】
本実施の形態では、連通管２０の周りに、連通管２０とは別体の水返し２４が取り付けられている。水返し２４は、つば部２４ａと、堤部２４ｂとからなり、上枠下地材５の上面５ａにつば部２４ａが載置された状態で、堤部２４ｂが連通管２０の通気部２２の少なくとも下部２２ａを、全周にわたって覆う状態（塞ぐ状態）に形成されている。水返し２４の周縁２４ｃはシーリング材２５で上枠下地材５の上面５ａに封止されている。
このような水返し２４が取り付けられることにより、笠木１０内の空間１０Ｋに万一雨水が浸入するような事態が生じた場合には、たとえ、上枠下地材５の上面５ａ等に雨水が溜まったとしても、水返し２４により通気部２２に水が流れ込むことが有効に防止される。
【００３７】
なお、次に説明するように連通管２０を構成した場合には、前記水返し２４は不要となる。すなわち、連通管２０が上枠連通孔４ａに差し込まれた状態で、通気部２２の下端部が、天板５の上面５ａより上方位置に配置されるように形成する。これにより、通気部２２が天板５の上面５ａから比較的高い位置に配置されることとなり、水返し２４を用いなくとも雨水等の浸入が防止されるようになる。なお、連通管２０と上枠連通孔４ａとの隙間はシーリング材２５により封止する。
【００３８】
本実施の形態によれば、上枠連通孔４ａに連通管２０が差し込まれているので、万一、笠木１０のジョイント部分等から雨水等が浸入して笠木１０の天板部分から水摘が落下するような事態が生じたとしても、つば状のキャップ２３が水滴よけの傘がわりとなり、躯体Ｋ内に水滴が浸入するのを防止することができる。したがって、躯体Ｋ内が雨水等で濡れなくなる。
【００３９】
また、連通管２０には、水返し２４が取り付けられているので、笠木１０内に雨水等が万一浸入してきたとしても、水返し２４が防水堤の役割をなし、連通管２０の通気部２２に雨水が入り込まない。したがって、躯体Ｋ内に雨水等が浸入するのをより確実に防止することができる。
【００４０】
以上、本発明に係るバルコニーの通気構造の実施形態について説明したが、本発明はこれに限定されず、発明の主旨に応じた適宜の変更実施が可能であることはいうまでもない。例えば、空気通路Ｔ１，Ｔ２は前記防水面材２によらず、図７に示すように、従来用いられている縦胴縁３８により形成しても良い。また、通気空間は、内部結露が生じやすい手摺壁Ｗの外側にのみ構成しても良い。さらに、外装材３，３’は、例えば、サイディングやタイル付き面材などで設けても良い。
【００４１】
【発明の効果】
以上のように、本発明に係るバルコニーの通気構造によれば、躯体の表面側の結露のみならず、躯体内部の結露をも有効に防止することができる。
【図面の簡単な説明】
【図１】本発明に係るバルコニーの通気構造の第一の実施形態を表すバルコニーの手摺の一部省略断面図である。
【図２】同じく手摺壁の構造を示す一部破断斜視図である。
【図３】（ａ）〜（ｄ）は本発明に係るバルコニーの通気構造における防水面材の構成パターンを示す断面斜視図である。
【図４】第一の実施形態のバルコニーの通気構造が採用された持出しタイプのバルコニーにおける軒天構造を示す縦断面図である。
【図５】本発明に係るバルコニーの通気構造の第二の実施形態を表すバルコニーの手摺の一部省略断面図である。
【図６】連通管の取付状態を示す拡大斜視図である。
【図７】手摺壁の構造のその他の例を示す一部破断斜視図である。
【図８】（ａ）（ｂ）はバルコニーを表した模式図である。
【図９】従来の手摺の通気構造を表した縦断面図である。
【図１０】従来のその他の手摺の通気構造を表した縦断面図である。
【符号の説明】
１，１’    下張材
２      防水面材
４      上枠
４ａ    上枠連通孔
１０    笠木
１０Ｋ    笠木内の空間
２０    連通管
２１    筒部
２２    通気部
２３    キャップ
２４    水返し
Ａ      外気（バルコニー内側）
Ｓ      隙間
Ｔ１，Ｔ２    通気空間
Ｗ      手摺壁
Ｋ      躯体
１Ｋ    躯体内の空間
【図１】
2004197383.tif 000003
【図２】
2004197383.tif 000004
【図３】
2004197383.tif 000005
【図４】
2004197383.tif 000006
【図５】
2004197383.tif 000007
【図６】
2004197383.tif 000008
【図７】
2004197383.tif 000009
【図８】
2004197383.tif 000010
【図９】
2004197383.tif 000011
【図１０】
2004197383.tif 000012